(57)【特許請求の範囲】
【請求項１】
相手端子の導通部が挿入される挿入部と、この挿入部に設けられ前記相手端子の導通部に接触される複数の接触部とを備えた端子接点構造であって、
前記複数の接触部は、前記挿入部と一体に形成され、前記相手端子の導通部の挿入方向に対して複数列配置された接触支持部に設けられ、前記複数の接触部は、前記挿入方向に対して前後にずれて配置されていることを特徴とする端子接点構造。
【請求項２】
請求項１記載の端子接点構造であって、
前記各接触支持部に設けられた前記複数の接触部は、前記挿入方向に対して前後にずれて配置されていることを特徴とする端子接点構造。
【請求項３】
請求項１又は請求項２に記載の端子接点構造を備え、相手端子と嵌合される嵌合部と、この嵌合部と一体に設けられ電線と接続される接続部とを備えた端子であって、
前記挿入部は、前記嵌合部に配置されていることを特徴とする端子。
【発明の詳細な説明】
【技術分野】
【０００１】
本発明は、端子接点構造及びこの端子接点構造を備えた端子に関する。
【背景技術】
【０００２】
従来、相手端子との接点が複数設けられた端子接点構造としては、相手端子の導通部としての板状端子が挿入される挿入部としてのフレーム部材と、このフレーム部材に設けられ相手端子の板状端子に接触される複数の接触部としての回動部材とを備えたものが知られている（例えば、特許文献１参照）。
【０００３】
この端子接点構造では、回動部材がフレーム部材に対して捩られて板状端子に対して付勢されるので、フレーム部材と回動部材との接続部分の幅を変えることで、回動部材の板状端子に対する付勢力を調整することができる。
【先行技術文献】
【特許文献】
【０００４】
【特許文献１】特開２００７−２５０３６２号公報
【発明の概要】
【発明が解決しようとする課題】
【０００５】
しかしながら、上記のような端子接点構造では、回動部材のような複数の接触部が相手端子の導通部の挿入方向に対して１列に配列されているので、導通部と接触部との接点位置が挿入方向の１点に集中してしまい、相手端子の最大挿入力が非常に高くなってしまっていた。
【０００６】
そこで、この発明は、相手端子の最大挿入力を低下させることができる端子接点構造及びこの端子接点構造を備えた端子の提供を目的としている。
【課題を解決するための手段】
【０００７】
本発明は、相手端子の導通部が挿入される挿入部と、この挿入部に設けられ前記相手端子の導通部に接触される複数の接触部とを備えた端子接点構造であって、前記複数の接触部は、前記挿入部と一体に形成され、前記相手端子の導通部の挿入方向に対して複数列配置された接触支持部に設けられ、前記複数の接触部は、前記挿入方向に対して前後にずれて配置されていることを特徴とする。
前記各接触支持部に設けられた前記複数の接触部は、前記挿入方向に対して前後にずれて配置されていることが好ましい。
【０００８】
この端子接点構造では、相手端子の導通部と複数の接触部との接点位置を挿入方向と直交する方向において挿入方向に分散させることができ、相手端子の最大挿入力を低下させることができる。
【０００９】
また、相手端子の最大挿入力を低下させたとしても、相手端子の導通部と複数の接触部との接点位置が複数箇所あるので、相手端子との導通を確実に保持することができる。
【００１０】
【００１１】
【００１２】
【００１３】
【００１４】
他の本発明は、上記した端子接点構造を備え、相手端子と嵌合される嵌合部と、この嵌合部と一体に設けられ電線と接続される接続部とを備えた端子であって、前記挿入部は、前記嵌合部に配置されていることを特徴とする端子である。
【００１５】
この端子では、相手端子の最大挿入力を低下させることができる端子接点構造を備えているので、相手端子との嵌合を容易に行うことができ、相手端子との嵌合不良を防止することができる。
【発明の効果】
【００１６】
本発明によれば、相手端子の最大挿入力を低下させることができる端子接点構造及びこの端子接点構造を備えた端子を提供することができるという効果を奏する。
【図面の簡単な説明】
【００１７】
【図１】本発明の参考例に係る端子接点構造の正面図である。
【図２】本発明の参考例に係る端子接点構造の相手端子の挿入部に対する挿入距離と相手端子の挿入力との関係を示す図である。
【図３】本発明の実施形態に係る端子接点構造の正面図である。
【図４】本発明の実施形態に係る端子接点構造の相手端子の挿入部に対する挿入距離と相手端子の挿入力との関係を示す図である。
【図５】本発明の実施形態に係る端子接点構造の他例を示す正面図である。
【発明を実施するための形態】
【００１８】
図１〜図５を用いて本発明の参考例に係る端子接点構造について説明する。
【００１９】
（参考例）
図１，図２を用いて参考例について説明する。
【００２０】
参考例に係る端子接点構造１は、相手端子（不図示）の導通部が挿入される挿入部３と、この挿入部３に設けられ相手端子の導通部に接触される複数の接触部５，７とを備えている。
【００２１】
そして、複数の接触部５，７は、相手端子の導通部の挿入方向と直交する方向に対して複数列配置された接触支持部９に設けられ、複数の接触部５，７は、挿入方向に対して前後にずれて配置されている。
【００２２】
なお、ここでは、図示しないが、端子は、相手端子と嵌合される嵌合部と、この嵌合部と一体に設けられ電線と接続される接続部とを備えており、嵌合部が筒状に形成された雌端子からなる。このような嵌合部内には、端子接点構造１が配置されている。
【００２３】
図１に示すように、端子接点構造１は、挿入部３と複数の接触部５，７とを備えている。挿入部３は、導電性材料からなり、薄板状に形成されている。この挿入部３は、端子の嵌合部内に配置され、相手端子としての雄端子の導通部が図１の矢印で示す方向から挿入される。なお、相手端子の導通部は丸ピンタイプやタブタイプなどからなり、挿入部３は相手端子の導通部の形状に合わせて成形されている。このような挿入部３の内部には、複数の接触部５，７が設けられている。
【００２４】
複数の接触部５，７は、相手端子の導通部の挿入方向と直交する方向に対して複数列（ここでは５列）配置された接触支持部９に設けられている。この複数の接触部５，７は、それぞれ挿入部３と結合部分１１，１３で連続する一部材として形成されている。また、複数の接触部５，７は、結合部分１１，１３が所定のねじり角を有してねじられており、相手端子の導通部と弾性変形可能に接触して導通される。
【００２５】
この複数の接触部５，７は、挿入方向に対して前後にずれて配置されている。詳細には、相手端子の導通部の挿入方向の前端側（図１の右側）に接触部７が３箇所配置され、挿入方向の後端側（図１の左側）に接触部５が２箇所配置されている。
【００２６】
このように構成された端子接点構造１は、図２に示すように、挿入方向と直交する方向に１列に配置された複数の接触部による挿入力線１５の最大挿入力（１つの最大ピーク部）を、挿入力線１７のように２つの挿入力（２つのピーク部）に分散させることができる。このため、相手端子の導通部の挿入部３に対する最大挿入力が低減され、端子同士の嵌合を行い易く、確実に相手端子と端子とを導通させることができる。加えて、従来の端子接点構造では、相手端子の導通部の挿入部３に対する最大挿入力が高いので、作業者が手を傷め易かったが、端子接点構造１では、相手端子の最大挿入力が低減されているので、作業者が手を傷めることを防ぐことができる。
【００２７】
このような端子接点構造１では、複数の接触部５，７が相手端子の導通部の挿入方向と直交する方向に対して複数列配置された接触支持部９に設けられ、複数の接触部５，７が挿入方向に対して前後にずれて配置されているので、相手端子の導通部と複数の接触部５，７との接点位置を挿入方向と直交する方向において挿入方向に分散させることができ、相手端子の最大挿入力を低下させることができる。
【００２８】
また、相手端子の最大挿入力を低下させたとしても、相手端子の導通部と複数の接触部５，７との接点位置が複数箇所あるので、相手端子との導通を確実に保持することができる。
【００２９】
（実施形態）
図３〜図５を用いて実施形態について説明する。
【００３０】
本実施の形態に係る端子接点構造１０１では、接触支持部１０３は、挿入方向に対して複数列配置されている。
【００３１】
また、複数の接触部１０５，１０７は、挿入方向と交差する方向に点在されている。なお、参考例と同一の構成には、同一の記号を記して参考例を参照するものとして説明を省略するが、参考例と同一の構成であるので、得られる効果は同一である。
【００３２】
図３に示すように、複数の接触部１０５，１０７は、相手端子の導通部の挿入方向と直交する方向に対して複数列（ここでは４列）配置された接触支持部１０３に設けられている。各接触支持部１０３は、それぞれ挿入部３との結合部分１０９及び隣り合う接触部１０５，１０７との結合部分１１１で連続する一部材として形成されている。また、複数の接触部１０５，１０７は、結合部分１０９，１１１が所定のねじり角を有してねじられており、相手端子の導通部と弾性変形可能に接触して導通される。
【００３３】
この複数の接触部１０５，１０７を有する接触支持部１０３は、相手端子の挿入方向に対して複数列（ここでは４列）配置されている。このため、複数の接触部１０５，１０７と相手端子の導通部との接触箇所は、挿入方向に対して複数箇所（ここでは８箇所）となる。
【００３４】
なお、同一構成の接触支持部１０３を挿入方向に複数列配置させることに限らず、例えば、図５に示すように、隣り合う接触支持部１０３，１０３’で接触部１０５，１０７の前後にずれた位置を千鳥状に交互に配置させてもよい。このように複数の接触部１０５，１０７を挿入方向と交差する方向に点在させることにより、相手端子の最大挿入力の分散や相手端子との導通を最適なものとすることができる。
【００３５】
このように構成された端子接点構造１０１は、図４に示すように、挿入方向と直交する方向に１列に配置された複数の接触部による挿入力線１１３の最大挿入力（１つの最大ピーク部）を、挿入力線１１５のように４つの接触支持部１０３によって４つの挿入力（４つのピーク部）に分散させることができる。さらに、１つの接触支持部１０３における複数の接触部１０５，１０７は、挿入方向に前後にずれた位置に配置されているので、図２で示したように、１つの最大ピーク部を２つのピーク部に分散させることができる。従って、この端子接点構造１０１では、相手端子の最大挿入力を８つの挿入力に分散させることができ、相手端子の導通部の挿入部３に対する最大挿入力をさらに低減することができる。
【００３６】
このような端子接点構造１０１では、相手端子の最大挿入力が低下された１つの接触支持部１０３が挿入方向に対して複数列配置されているので、相手端子の導通部と複数の接触支持部１０３との接点位置を挿入方向に分散させることができ、さらに相手端子の最大挿入力を低下させることができる。
【００３７】
また、複数の接触部１０５，１０７が相手端子の導通部の挿入方向と交差する方向に点在されているので、挿入部３における複数の接触部１０５，１０７の配置個所を相手端子の最大挿入力や相手端子との導通を考慮して効果的に選択することができる。
【００３８】
さらに、端子接点構造１，１０１を備えた端子では、端子接点構造１，１０１によって相手端子の最大挿入力を低下させることができるので、相手端子との嵌合を容易に行うことができ、相手端子との嵌合不良を防止することができる。
【００３９】
なお、本発明の実施の形態に係る端子接点構造を備えた端子では、雌端子の嵌合部内に配置される挿入部に複数の接触部が設けられているが、雄端子のタブなどの嵌合部に挿入部を配置させ、この挿入部に複数の接触部を相手端子（雌端子）の導通部の挿入方向と直交する方向に対して複数列配置した接触支持部とし、接触支持部における複数の接触部を、挿入方向に対して前後にずらして配置してもよい。
【００４０】
また、参考例に係る端子接点構造では、複数の接触部が挿入方向の前端側に３箇所、後端側に２箇所配置されているが、これに限らず、全ての接触部を挿入方向に対して異ならせて配置してもよい。
【符号の説明】
【００４１】
１，１０１…端子接点構造
３…挿入部
５，７，１０５，１０７…接触部
９，１０３，１０３’…接触支持部
【図１】
0005763984.tif 000002
【図２】
0005763984.tif 000003
【図３】
0005763984.tif 000004
【図４】
0005763984.tif 000005
【図５】
0005763984.tif 000006